(57)【要約】【課題】軽量化及び低コスト化を実現するとともに、耐久性及び取り扱い性に優れた運搬用スキッドを提供する。【解決手段】上側部材１と下側部材２とを井桁状に組み合わせてなる運搬用スキッド１０において、下側部材２を、所定間隔を空けて配列された複数の金属製棒材と、これらを連結させた状態で金属製棒材に固定され、上側部材２を載置可能な載置面を有する金属製支持部２１と、から構成する。また、上側部材１を、複数の木製棒材からなり、運搬物２０を載置可能な載置面を有する構成とする。そして、上側部材１の上面に鉄板等の運搬物２０を載置した状態で、上側部材１をなす木製棒材の長手方向両端近傍の底面及び側面にワイヤＷを当接させて、運搬物２０を運搬する。【選択図】  図１
2010274921.tif 000002
【特許請求の範囲】
【請求項１】
複数の下側部材及び上側部材が井桁状に組み合わされてなる運搬用スキッドであって、
前記下側部材は、所定間隔を空けて配列された複数の金属製棒材と、当該複数の金属製棒材を連結させた状態で当該金属製棒材に固定され、前記上側部材を載置可能な載置面を有する金属製支持部と、から構成し、
前記上側部材は、複数の木製棒材からなり、運搬物を載置可能な載置面を有する構成とするとともに、
前記上側部材の載置面の上に運搬物を載置した状態で、前記上側部材をなす木製棒材の底面又は側面に運搬用吊り紐を当接させて、前記運搬物を運搬するように構成されていることを特徴とする運搬用スキッド。
【請求項２】
複数の下側部材及び上側部材が井桁状に組み合わされてなる運搬用スキッドであって、
前記下側部材は、所定間隔を空けて配列された複数の木製棒材と、当該木製棒材の少なくとも延伸方向両端に嵌合される複数の嵌合部材と、当該複数の嵌合部材を連結させた状態で当該嵌合部材に固定され、前記上側部材を載置可能な載置面を有する金属製支持部と、から構成し、
前記上側部材は、複数の木製棒材からなり、運搬物を載置可能な載置面を有する構成とするとともに、
前記上側部材の載置面の上に運搬物を載置した状態で、前記上側部材又は前記下側部材をなす木製棒材の底面又は側面に運搬用吊り紐を当接させて、前記運搬物を運搬するように構成されていることを特徴とする運搬用スキッド。
【請求項３】
前記支持部は、側面視略Ｕ字状又は側面視略Ｌ字状に構成されていることを特徴とする請求項１又は２に記載の運搬用スキッド。
【請求項４】
前記嵌合部材は、前記下側部材をなす木製棒材の延伸方向に摺動可能に設けられていることを特徴とする請求項２又は３に記載の運搬用スキッド。
【発明の詳細な説明】
【技術分野】
【０００１】
本発明は、例えば鉄板や鋼板等、運搬物の運搬に用いられるスキッドに関するものである。
【背景技術】
【０００２】
従来、この種の運搬用スキッドとしては、木材を略矩形状に組み合わせて釘で固定した木製スキッド（例えば、特許文献１参照）や、金属材を井桁状に組み合わせて溶接やボルト・ナット等で固定した金属製スキッド（例えば、特許文献２参照）が公知となっている。
【特許文献１】特開平９−２１６６２号公報
【特許文献２】特開２００５−１７８８６９号公報
【発明の開示】
【発明が解決しようとする課題】
【０００３】
しかしながら、上述した特許文献１に記載の運搬用スキッドにおいては、各木材を釘で固定しているため、運搬時や収納時に各部材にバラして取り扱うことができず、運搬時や収納時の取り扱い性が良好ではないという不具合があった。
【０００４】
また、上述した特許文献１に記載の運搬用スキッドにおいては、運搬物に応じてスキッドの寸法を調整することができないため、それぞれ運搬物に応じて適宜必要な寸法のスキッドを用意する必要があり、コストが嵩むという不具合があった。
【０００５】
さらに、上述した特許文献１に記載の運搬用スキッドにおいては、一度打ち込んだ釘を抜いて、各木材をバラしても、木材に釘穴が残るため、木材を再利用することができず、結果的にコストが嵩むという不具合があった。
【０００６】
さらに、上述した特許文献１に記載の運搬用スキッドにおいては、スキッド全体が木材で構成されているため、スキッド全体を金属材で構成したスキッドと比べて、十分な耐久性が得られないという不具合があった。
【０００７】
一方、上述した特許文献２に記載の運搬用スキッドにおいては、スキッド全体が金属材で構成されているため、重量が嵩み、取り扱い性が良好ではないという不具合があった。
【０００８】
また、上述した特許文献２に記載の運搬用スキッドにおいては、スキッド全体が金属材で構成されているため、スキッドを吊架するためのワイヤがスキッドとの当接面で損傷し易く、取り扱い性が良好ではないという不具合があった。
【０００９】
そこで、本発明は、上記事情に鑑みてなされたものであり、軽量化及び低コスト化を実現するとともに、耐久性及び取り扱い性に優れた運搬用スキッドを提供することを課題としている。
【課題を解決するための手段】
【００１０】
上述した課題を解決するために、本発明は、複数の下側部材及び上側部材が井桁状に組み合わされてなる運搬用スキッドであって、前記下側部材は、所定間隔を空けて配列された複数の金属製棒材と、当該複数の金属製棒材を連結させた状態で当該金属製棒材に固定され、前記上側部材を載置可能な載置面を有する金属製支持部と、から構成し、前記上側部材は、複数の木製棒材からなり、運搬物を載置可能な載置面を有する構成とするとともに、前記上側部材の載置面の上に運搬物を載置した状態で、前記上側部材をなす木製棒材の底面又は側面に運搬用吊り紐を当接させて、前記運搬物を運搬するように構成されていることを特徴とする運搬用スキッドを提供する。
【００１１】
本発明はまた、複数の下側部材及び上側部材が井桁状に組み合わされてなる運搬用スキッドであって、前記下側部材は、所定間隔を空けて配列された複数の木製棒材と、当該木製棒材の少なくとも延伸方向両端に嵌合される複数の嵌合部材と、当該複数の嵌合部材を連結させた状態で当該嵌合部材に固定され、前記上側部材を載置可能な載置面を有する金属製支持部と、から構成し、前記上側部材は、複数の木製棒材からなり、運搬物を載置可能な載置面を有する構成とするとともに、前記上側部材の載置面の上に運搬物を載置した状態で、前記上側部材又は前記下側部材をなす木製棒材の底面又は側面に運搬用吊り紐を当接させて、前記運搬物を運搬するように構成されていることを特徴とする運搬用スキッドを提供する。
【００１２】
本発明に係る運搬用スキッドによれば、「木製棒材」からなる上側部材と、「金属製棒材」、又は、「木製棒材と、金属製嵌合部材と、金属製支持部」からなる下側部材とを互いに固定することなく、井桁状に組み合わせて構成したことにより、運搬物の寸法に応じてスキッドの寸法及び形状を適宜調節できるため、低コスト化を実現できるとともに、取り扱い性を向上できる。
【００１３】
また、本発明に係る運搬用スキッドによれば、運搬時や収納時に、上側部材及び下側部材をなす各棒材を別個にバラして取り扱うことが出来るため、低コスト化を実現できるとともに、取り扱い性を向上できる。
【００１４】
さらに、本発明に係る運搬用スキッドによれば、上側部材をなす木製棒材自体を釘で固定しないため、上側部材をなす木製棒材に損傷が生じず、上側部材をなす木製棒材の再利用化を実現できるとともに、低コスト化を実現できる。なお、下側部材が、木製棒材と、金属製支持部を有する金属製嵌合部材とからなる場合には、木製棒材から金属製嵌合部材を外せば、下側部材をなす木製棒材を再利用に供することが可能となる。
【００１５】
さらに、本発明に係る運搬用スキッドによれば、上述した特許文献１で記載のように全て木材で構成したスキッドと比べて、耐久性を向上させることができるとともに、上述した特許文献２で記載のように全て金属材で構成したスキッドと比べて、軽量化を図ることができる。
【００１６】
さらに、本発明に係る運搬用スキッドによれば、上側部材の載置面上に運搬物を載置した状態で、木製棒材の底面又は側面に運搬用吊り紐を当接させて、運搬物を運搬するように構成したことにより、運搬用吊り紐をワイヤ等の金属素材で構成しても、スキッドとの当接面で運搬用吊り紐が損傷し難くなる。
【００１７】
ここで、本発明に係る運搬用スキッドにおいて  前記支持部は、側面視略Ｕ字状又は側面視略Ｌ字状に構成してもよい。
本構成によれば、下側部材に上側部材を簡易且つ安定して支持することができる。
【００１８】
また、本発明に係る運搬用スキッドにおいて、前記嵌合部材は、前記下側部材をなす木製棒材の延伸方向に摺動可能に設けられた構成としてもよい。
本構成によれば、嵌合部材を、下側部材なす木製棒材の延伸方向において変位させることが可能となるため、運搬物に応じてスキッドの形状及び寸法を容易に調整することができる。
【発明の効果】
【００１９】
本発明に係る運搬用スキッドによれば、軽量化及び低コスト化を実現できるとともに、耐久性及び取り扱い性を向上させることができる。
【発明を実施するための最良の形態】
【００２０】
以下、本発明の実施形態について図面を参照しながら詳細に説明する。
【００２１】
＜第一実施形態＞
図１は、本発明に係る運搬用スキッドの一例を示し、（ａ）は組み立て状態を示す斜視図、（ｂ）は運搬物の運搬状態を示す斜視図である。
【００２２】
この運搬用スキッドは、図１（ａ）に示すように、角柱形状の木製棒材からなる上側部材１と、角柱形状の金属棒材からなり、当該上側部材１を載置可能な金属製の支持部２１を有する下側部材２と、が井桁状に組み合わされて構成されている。
【００２３】
支持部２１は、下側部材２の長手方向に対して略直交する方向に延伸する、側面視略Ｌ字状のＬ字鋼（アングル鋼）からなる。そして、支持部２１は、下側部材２の長手方向両端近傍の一側面に、複数の下側部材２を連結させた状態で溶接により固定されている。
【００２４】
また、支持部２１は、複数の金属製棒材を配列することで平面視略四角形状に構成された下側部材２の縦方向（長さ方向）寸法Ｘ及び横方向寸法Ｙから突出しないように、それらの端面と略面一となるように固定されている。
【００２５】
すなわち、略Ｌ字状をなす支持部２１は、その高さ寸法Ｌ１が、上側部材１をなす木製部材の高さ寸法よりも小さく、その長さ寸法Ｌ２が、平面視略四角形状をなす複数の下側部材２の横方向寸法Ｙと略同一で、その奥行き寸法Ｌ３が、上側部材１をなす木製部材の幅方向（短手方向）寸法よりも小さくなっている。
【００２６】
なお、下側部材２をなす金属製棒材は、図１（ａ）にも示す通り、強度等を考慮し、その長手方向両端面に溶接によって蓋部材２２が取り付けられるなどして、該両端面が閉口されていることが好ましいが、図１（ｂ）に示すような開口された形態であっても構わない。
【００２７】
この運搬用スキッド１０は、図１（ｂ）に示すように、まず、上面に支持部２１が位置するように下側部材２を配置した後、この下側部材２の支持部２１に、複数の上側部材１を下側部材２に対して略直交させた状態で載置することで、下側部材２と上側部材１とを井桁状に組み立てて完成させる。
【００２８】
そして、上側部材１の上面（載置面）に鉄板等の運搬物２０を載置するとともに、上側部材１の長手方向両端近傍の底面に、下側部材２と平行するようにワイヤ（運搬用吊り紐）Ｗを配置して、上側部材１の底面及び側面にワイヤＷを当接させた状態で、運搬物２０を吊架フック３０に引っ掛けて運搬する。
【００２９】
この時、上側部材１と下側部材２とは固定せずに、下側部材２の支持部２１に上側部材１を載置した状態で組み立てただけであるが、上側部材１の上面に運搬物２０を載せた状態で運搬されるため、上側部材１と下側部材２とは外れずに安定した状態となる。
【００３０】
すなわち、本実施形態における運搬用スキッド１０によれば、上側部材１と下側部材２とを互いに固定することなく、井桁状に組み合わせた構成としたことにより、スキッド自体の寸法及び形状を運搬物２０の寸法に応じて適宜調節できる。
【００３１】
また、上側部材１と下側部材２とを互いに固定していないため、運搬時や収納時には別個にバラして取り扱うことができ、低コスト化を実現できるとともに、取り扱い性を向上できる。
【００３２】
また、本実施形態における運搬用スキッド１０によれば、上側部材１を下側部材２の上に固定せず、載置した状態で井桁状に組み合わせた構成としたことにより、上側部材１自体に損傷が生じないため、上側部材１の再利用を図ることができ、低コスト化を実現できる。
【００３３】
さらに、本実施形態における運搬用スキッド１０によれば、木製棒材からなる上側部材１と金属製棒材からなる下側部材２とから構成したため、全て木製棒材で構成したスキッドと比べて、耐久性を向上させることができるとともに、全て金属製棒材で構成したスキッドと比べて、軽量化を図ることができる。
【００３４】
さらに、本実施形態における運搬用スキッド１０によれば、木製棒材からなる上側部材１の上面に運搬物２０を載置した状態で、木製棒材からなる上側部材１の底面及び側面にワイヤＷを当接させて、運搬物２０を運搬する構成としたことにより、ワイヤＷの棒材１との当接面に損傷が生じ難くなる。
【００３５】
さらに、本実施形態における運搬用スキッド１０によれば、支持部２１の高さ方向Ｌ１及び奥行き寸法Ｌ３を、それぞれ上側部材１をなす木製棒材の高さ寸法及び幅寸法よりも小さく構成したことにより、運搬物２０の運搬時にワイヤＷと下側部材２とが当接するのを効果的に防止できる。
【００３６】
＜第二実施形態＞
図２は、本発明に係る運搬用スキッドを示し、（ａ）は組み立て状態を示す斜視図、（ｂ）は運搬物の運搬状態を示す斜視図である。
【００３７】
この運搬用スキッド１０Ａは、図２（ａ）に示すように、角柱形状の木製棒材からなる上側部材１Ａと、角柱形状の木製棒材からなり、この木製棒材の長手方向両端に、上側部材１Ａを載置可能な支持部３１を有する金属製キャップ（嵌合部材）３が外嵌された下側部材（下側部材）２Ａと、が井桁状に組み合わされて構成されている。
【００３８】
支持部３１は、上述した第一実施形態で示した支持部２１と同様に、側面視Ｌ字状のＬ字鋼（アングル鋼）からなる。ここで、支持部３１、上側部材１Ａをなす木製棒材、及び下側部材２Ａをなす木製棒材の寸法は、それぞれ上述した第一実施形態で示した支持部２１、上側部材１をなす木製棒材、及び下側部材２をなす金属製棒材と略同様になっている。
【００３９】
金属製キャップ３は、一端が開口された角柱形状からなる。そして、支持部３１は、金属製キャップ３の開口面が側面となるように所定間隔を空けて同じ向きに配置した状態で、この金属製キャップ３の上面にその延伸方向に略直交するように掛け渡されて、溶接により固定されている。
【００４０】
また、金属製キャップ３の一側面には、下側部材２Ａの長手方向両端に取り付けるための取り付け用ナット３２が、溶接により固定されている。
【００４１】
この運搬用スキッド１０Ａは、図２（ｂ）に示すように、まず、下側部材２Ａの長手方向両端に、支持部３１を有する金属製キャップ３を取り付け用ナット３２で取り付ける。
【００４２】
次に、この下側部材２Ａの支持部３１に、複数の上側部材１Ａを下側部材２Ａに対して略直交させた状態で載置することで、下側部材２Ａと上側部材１Ａとを井桁状に組み立てて完成させる。
【００４３】
そして、上側部材１Ａの上面（載置面）に鉄板等の運搬物２０を載置するとともに、上側部材１Ａの長手方向両端近傍の底面に、下側部材２Ａと平行するようにワイヤ（運搬用吊り紐）Ｗを配置して、上側部材１Ａの底面及び側面にワイヤＷを当接させた状態で、運搬物２０を吊架フック３０に引っ掛けて運搬する。
【００４４】
この時、上側部材１Ａと下側部材２Ａとは固定せずに、下側部材２Ａの上面に上側部材１を載置した状態で組み立てただけであるが、上側部材１Ａの上面に運搬物２０を載せた状態で運搬されるため、上側部材１Ａと下側部材２Ａとは外れずに安定した状態となる。
【００４５】
すなわち、本実施形態における運搬用スキッド１０Ａによれば、上述した第一実施形態で示した運搬用スキッド１０における金属製棒材からなる下側部材２の代わりに、木製棒材からなる下側部材２Ａの長手方向両端に金属製キャップ３を外嵌させてなる構成としたことにより、上述した第一実施形態と同様の作用効果が得られる。
【００４６】
また、本実施形態における運搬用スキッド１０Ａによれば、木製棒材からなる下側部材２Ａに、支持部３１を有する金属製キャップ３を外嵌させた構成としたことにより、上述した第一実施形態で示した運搬用スキッド１０と比べて、スキッド自体のさらなる軽量化を実現できるとともに、スキッド寸法の調節をより効率よく行うことができる。
【００４７】
なお、第二実施形態においては、嵌合部材として、一端が開口された角柱形状の金属製キャップ３を用いた場合について説明したが、嵌合部材の構成はこれに限らず、適宜変更可能である。
【００４８】
例えば、嵌合部材として、図３（ａ）に示すように、両端が開口された角柱形状の金属製キャップ３Ａを用いてもよい。
【００４９】
ここで、図３（ａ）に示す金属製キャップ３Ａを用いた場合には、金属製キャップ３Ａを、図３（ｂ）に示すように、下側部材２Ａの長手方向Ｚに摺動可能に設けることができる。
よって、この運搬用スキッド１０Ｂによれば、金属製キャップ３Ａの位置を下側部材２Ａの長手方向Ｚで変位させることが可能となるため、運搬物２０の寸法に応じてスキッドの一方向の寸法を容易に調整することができる。
【００５０】
また、第二実施形態においては、嵌合部材として、側面視略Ｌ字状の支持部３１を有する金属製キャップ３を用いた場合について説明したが、支持部３１の形状はこれに限らず、適宜変更可能である。
【００５１】
例えば、嵌合部材として、図４に示すように、側面視略Ｕ字状の支持部３１Ｂを有し、両端が開口された角柱形状の金属製キャップ３Ｂを用いてもよい。
【００５２】
ここで、図４に示す金属製キャップ３Ｂを用いた場合には、上側部材１Ａを下側部材２Ａの支持部３１Ｂに安定して固定することができる。
【００５３】
さらに、第二実施形態においては、金属製キャップ３，３Ａの下側部材２Ａへの固定を取り付け用ナット３２で行う構成としたが、これに限らず、適宜変更可能である。
【００５４】
さらに、第一及び第二実施形態においては、支持部２１の下側部材２への固定や、支持部３１の金属製キャップ３，３Ａ，３Ｂへの固定を溶接により行う構成としたが、これに限らず、適宜変更可能である。例えば、支持部２１，３１をネジ部材により固定する構成としてもよい。
【００５５】
さらに、第一及び第二実施形態においては、下側部材２，２Ａ及び上側部材１，１Ａや金属製キャップ３，３Ａ，３Ｂを、角柱形状で構成したが、これらの構成はこれに限らず、適宜変更可能である。例えば、下側部材２，２Ａ及び上側部材１，１Ａや金属製キャップ３，３Ａ，３Ｂを多角形状や円柱形状等で構成してもよい。
【００５６】
さらに、第一及び第二実施形態においては、金属製支持部２１，３１を、下側部材２や金属製キャップ３の長手方向に対して略直交する方向に延伸するように固定する構成としたが、これらの延伸方向はこれに限らず、適宜変更可能である。例えば、金属製支持部２１，３１を、下側部材２や金属製キャップ３の長手方向に対して９０°以外の所定角度で延伸するように固定する構成としてもよい。
【図面の簡単な説明】
【００５７】
【図１】本発明に係る運搬用スキッドの一例を示し、（ａ）は組み立て状態を示す斜視図、（ｂ）は運搬物の運搬状態を示す斜視図である。
【図２】本発明に係る運搬用スキッドの他の例を示し、（ａ）は組立状態を示す斜視図、（ｂ）は運搬物の運搬状態を示す斜視図である。
【図３】本発明に係る運搬用スキッドの他の例を示し、（ａ）は嵌合部材の他の例を示す斜視図、（ｂ）は組み立て後の状態を示す斜視図である。
【図４】本発明に係る運搬用スキッドで用いる嵌合部材の他の例を示す斜視図である。
【符号の説明】
【００５８】
１，１Ａ      上側部材
２，２Ａ      下側部材
３，３Ａ，３Ｂ      金属製キャップ（嵌合部材）
２１，３１，３１Ｂ    支持部
１０，１０Ａ〜１０Ｂ  運搬用スキッド
２０      運搬物
Ｗ      ワイヤ（運搬用吊り紐）
【図１】
2010274921.tif 000003
【図２】
2010274921.tif 000004
【図３】
2010274921.tif 000005
【図４】
2010274921.tif 000006